【事件の表示】
　特許第６５２８９３３号発明「眼底撮影装置」の特許異議申立事件について、次のとおり決定する。
【                             結　論】
　特許第６５２８９３３号の特許請求の範囲を、訂正請求書に添付された訂正特許請求の範囲のとおり、訂正後の請求項〔１〜３〕、〔４〜６〕について訂正することを認める。
　特許第６５２８９３３号の請求項１〜３、６に係る特許を維持する。
　特許第６５２８９３３号の請求項４及び５に係る特許についての特許異議の申立てを却下する。
【                             理　由】
第１　手続の経緯 
　特許第６５２８９３３号の請求項１〜６に係る特許についての出願は、平成２６年１２月２６日に出願され、令和元年５月２４日にその特許権の設定登録がされ、同年６月１２日に特許掲載公報が発行された。その後、請求項１〜６に係る特許に対し、令和元年１１月２９日に特許異議申立人　柴田隆史（以下、単に「申立人」という。）により特許異議の申立てがされ、令和２年２月２０日付けで取消理由が通知され、令和２年４月２７日に意見書の提出及び訂正請求がされ、当審よりその意見書及び訂正の請求に対して申立人に意見を求めたが、申立人から意見書の提出はなく、令和２年７月２９日付けで取消理由（決定の予告）が通知され、令和２年１０月２日に意見書の提出及び訂正請求がされ、当審よりその意見書及び訂正の請求に対して申立人に意見を求めたが、申立人から意見書の提出はなかったものである。
第２　訂正の適否
１　訂正の内容
（１）特許権者が令和２年１０月２日にした訂正請求による訂正（以下「本件訂正」という。）は、以下の訂正事項１〜５のとおりである。なお、下線は訂正箇所を示す。
（訂正事項１）
　特許請求の範囲の請求項１に「光出射部と、前記光出射部から発せられた光を眼底上で走査するために前記光の進行方向を変える走査部と、」と記載されているのを、「
光を出射する
前記
（訂正事項２）
　特許請求の範囲の請求項１に「前記対物光学系は、更に、前記複数の波長の光に関して前記対物光学系で生じる倍率色収差を補正する接合レンズを少なくとも含むことを特徴とする」と記載されているのを、「前記対物光学系は
、
を備えると共に、少なくとも一方のレンズ面が非球面形状に形成されることによって前記旋回点における結像の球面収差を抑制する非球面レンズであって、前記光出射部側のレンズ面が光軸から離れた位置ほど曲率半径が大きくなるような曲面による非球面形状に形成され、且つ、前記被検眼側のレンズ面が所要作動距離に対して１０倍以上の曲率半径で形成される非球面レンズを、前記対物光学系において最も被検眼側に配置されたレンズとして備える
（訂正事項３）
　特許請求の範囲の請求項４を削除する。
（訂正事項４）
　特許請求の範囲の請求項５を削除する。
（訂正事項５）
　特許請求の範囲の請求項６に「前記非球面レンズにおいて前記被検眼側レンズ面は、所要作動距離に対して１０倍以上の曲率半径で形成されることを特徴とする請求項５又は６記載の眼底撮影装置。」と記載されているのを、
「　
光を出射する光出射部と、前記光出射部から発せられた前記光を眼底上で走査するために前記光の進行方向を変える走査部と、被検眼と前記走査部との間に配置され、前記走査部から導かれた前記光が前記走査部の動作に伴って旋回される旋回点を形成する対物光学系と、を含み、前記旋回点を通過して被検眼眼底に導かれた前記光による眼底からの光を用いて被検眼の眼底の画像を撮像する眼底撮影装置において、
　
前記対物光学系は、前記走査部から導かれる前記光を前記対物光学系の光軸へ向けて折り曲げることによって、眼底における前記光の走査範囲を全角９０°以上とするものであり、
　
前記対物光学系は、少なくとも一方のレンズ面が非球面形状に形成されることによって前記旋回点における結像の球面収差を抑制する非球面レンズを、前記対物光学系において最も被検眼側に配置されたレンズとして備え、
　前記非球面レンズは、前記光出射部側のレンズ面が光軸から離れた位置ほど曲率半径が大きくなるような曲面による非球面形状に形成され、且つ、
の
が
る眼
（２）訂正の単位について 
　訂正事項１及び２に係る訂正前の請求項１〜３は、請求項２及び３はいずれも請求項１を引用しているから、訂正後の請求項１〜３は一群の請求項である。また、訂正事項３〜５に係る訂正前の請求項４〜６は、請求項５及び６はいずれも請求項４を引用しているから、訂正後の請求項４〜６は、一群の請求項である。
　よって、本件訂正は、一群の請求項〔１〜３〕、〔４〜６〕に対して請求されたものであり、特許法第１２０条の５第４項の規定に適合する。
２　訂正の目的の適否、新規事項の有無及び特許請求の範囲の拡張・変更の存否 
（１）訂正事項１について
ア　訂正の目的の適否
　訂正事項１は、訂正前の「光出射部」及び「走査部」における不明瞭な記載上の不備を訂正するものであるから、特許法第１２０条の５第２項ただし書き第３号に掲げる「明瞭でない記載の釈明」を目的とするものである。
イ　新規事項の有無
　訂正事項１は、本件特許に係る出願の願書に添付した明細書の【００１９】には「説明の便宜上、第１実施形態において、レーザー光出射部１１は、単色光のみを出射するものとして説明する。」、【００２０】には「レーザー光出射部１１からのレーザー光は、穴開きミラー１２の開口を通り、レンズ１３およびレンズ１４を介した後、走査部１５に向かう。」と記載されており、これらの記載から導き出される構成である。
　よって、本件特許に係る出願の願書に添付した明細書、特許請求の範囲及び図面（以下「本件特許明細書等」という。）のすべての記載を総合することにより導かれる技術的事項との関係において、新たな技術的事項を導入しないものである。
ウ　特許請求の範囲の拡張・変更の存否
　訂正事項１は、実質上特許請求の範囲を拡張し、又は変更するものではない。
（２）訂正事項２について
ア　訂正の目的の適否
　訂正事項２は、訂正前の「対物光学系」をより具体的に特定し、さらに限定するものであるから、特許法第１２０条の５第２項ただし書き第１号に掲げる「特許請求の範囲の減縮」を目的とするものである。
イ　新規事項の有無
　訂正事項２は、本件特許明細書等の【００６２】には「第３実施形態における第２対物光学系２３０は、被検眼の近くに配置されるものから順に、第１対物レンズ２３１および第２対物レンズ２３２を有する（図７参照）。」、【００６９】には「また、第３実施形態において、第２対物レンズ２３２には、波長が互いに異なる少なくとも２色のレーザー光に関して第２対物光学系２３０で生じる倍率色収差を補正（抑制）する接合レンズが使用される。」、【００６３】には「第３実施形態において、第１対物レンズ２３１は、非球面レンズである。第１対物レンズ２３１は、第２旋回点Ｑ（即ち、第２対物光学系２３０によって形成される旋回点）における結像の球面収差を補正する。」、【００６６】には「図７に示すように、第１対物レンズ２３１は、少なくとも光源側のレンズ面２３１ａが非球面に形成されていてもよい。この場合において、レンズ面２３１ａは、球面収差を軽減するため、第１対物レンズ２３１の光軸Ｌ３から離れた位置ほど曲率半径が大きくなるような曲面で形成されている。」、【００６８】には「被検眼側レンズ面２３１ｂは、凹面，および凸面のいずれで形成される場合においても、所期する作動距離に対して１０倍以上の曲率半径にて形成することが望ましい。」と記載されており、これらの記載から導き出される構成である。
　よって、訂正事項２は、本件特許明細書等のすべての記載を総合することにより導かれる技術的事項との関係において、新たな技術的事項を導入しないものである。
ウ　特許請求の範囲の拡張・変更の存否 
　訂正事項２は、実質上特許請求の範囲を拡張し、又は変更するものではない。
（３）訂正事項３について
ア　訂正の目的の適否 
　訂正事項３は、訂正前の請求項４の記載を削除するものであるから、特許法第１２０条の５第２項ただし書き第１号に掲げる「特許請求の範囲の減縮」を目的とするものである。
イ　新規事項の有無
　訂正事項３は、訂正前の請求項４の記載を削除するものであるから、本件特許明細書等のすべての記載を総合することにより導かれる技術的事項との関係において、新たな技術的事項を導入しないものである。
ウ　特許請求の範囲の拡張・変更の存否
　訂正事項３は、実質上特許請求の範囲を拡張し、又は変更するものではない。
（４）訂正事項４について
ア　訂正の目的の適否
　訂正事項４は、訂正前の請求項５の記載を削除するものである。
　よって、訂正事項３は、特許法第１２０条の５第２項ただし書き第１号に掲げる「特許請求の範囲の減縮」を目的とするものである。
イ　新規事項の有無
　訂正事項４は、訂正前の請求項５の記載を削除するものであるから、本件特許明細書等のすべての記載を総合することにより導かれる技術的事項との関係において、新たな技術的事項を導入しないものである。
ウ　特許請求の範囲の拡張・変更の存否
　訂正事項４は、実質上特許請求の範囲を拡張し、又は変更するものではない。
（５）訂正事項５について
ア　訂正の目的の適否
　訂正事項５は、訂正前の、請求項４の記載を引用し請求項５の記載を引用する請求項６の記載を、独立形式請求項へ改めるとともに、「光出射部側のレンズ面が光軸から離れた位置ほど曲率半径が大きくなるような曲面による非球面形状に形成され」ることを発明特定事項とすることにより、レンズ面を具体的に特定し、さらに限定するものである。
　よって、訂正事項５は、特許法第１２０条の５第２項ただし書き第４号に掲げる「他の請求項の記載を引用する請求項の記載を当該他の請求項を引用しないものとすること。」を目的とし、同条同項ただし書き第１号に掲げる「特許請求の範囲の減縮」を目的とするものである。
イ　新規事項の有無
　訂正事項５の「光出射部側のレンズ面が光軸から離れた位置ほど曲率半径が大きくなるような曲面による非球面形状に形成され」ることは、本件特許明細書等の【００６６】に「図７に示すように、第１対物レンズ２３１は、少なくとも光源側のレンズ面２３１ａが非球面に形成されていてもよい。この場合において、レンズ面２３１ａは、球面収差を軽減するため、第１対物レンズ２３１の光軸Ｌ３から離れた位置ほど曲率半径が大きくなるような曲面で形成されている。」との記載から導き出される構成である。
　よって、訂正事項５は、本件特許明細書等のすべての記載を総合することにより導かれる技術的事項との関係において、新たな技術的事項を導入しないものである。
ウ　特許請求の範囲の拡張・変更の存否 
　訂正事項５は、実質上特許請求の範囲を拡張し、又は変更するものではない。
３　小括
　上記のとおり、訂正事項１〜５に係る訂正は、特許法第１２０条の５第２項ただし書第１号、第３号及び第４号に掲げる事項を目的とするものであり、かつ、同条第９項で準用する同法第１２６条第５項及び第６項の規定に適合する。
　したがって、特許請求の範囲を、訂正請求書に添付された訂正特許請求の範囲のとおり、訂正後の請求項〔１〜３〕、〔４〜６〕について訂正することを認める。
第３　訂正後の本件発明
　上記のとおり本件訂正が認められるから、本件特許の請求項１〜３及び６に係る発明（以下、それぞれ請求項の番号に応じて「本件発明１」などという。）は、訂正特許請求の範囲の請求項１〜３及び６に記載された事項により特定される、次のとおりのものである。
「【請求項１】
　光を出射する光出射部と、前記光出射部から発せられた前記光を眼底上で走査するために前記光の進行方向を変える走査部と、被検眼と前記走査部との間に配置され、前記走査部から導かれた前記光が前記走査部の動作に伴って旋回される旋回点を形成する対物光学系と、を含み、前記旋回点を通過して被検眼眼底に導かれた前記光による眼底からの光を用いて被検眼の眼底の画像を撮像する眼底撮影装置において、
　前記光出射部は、互いに異なる複数色の可視光を前記光として出射し、
　前記対物光学系は、前記走査部から導かれる前記光を前記対物光学系の光軸へ向けて折り曲げることによって、眼底における前記光の走査範囲を全角９０°以上とするものであり、
　前記対物光学系は、前記複数の波長の光に関して前記対物光学系で生じる倍率色収差を補正する接合レンズを備えると共に、少なくとも一方のレンズ面が非球面形状に形成されることによって前記旋回点における結像の球面収差を抑制する非球面レンズであって、前記光出射部側のレンズ面が光軸から離れた位置ほど曲率半径が大きくなるような曲面による非球面形状に形成され、且つ、前記被検眼側のレンズ面が所要作動距離に対して１０倍以上の曲率半径で形成される非球面レンズを、前記対物光学系において最も被検眼側に配置されたレンズとして備える眼底撮影装置。
【請求項２】
　前記接合レンズは、材料の分散が互いに異なる凹レンズと凸レンズとを１枚ずつ貼り合せて形成されており、凸レンズに対し、凹レンズが被検眼側に配置されることを特徴とする請求項１記載の眼底撮影装置。
【請求項３】
　前記接合レンズは、材料の分散が互いに異なる凹レンズと凸レンズとを１枚ずつ貼り合せて形成されており、凹レンズに対し、凸レンズが被検眼側に配置されることを特徴とする請求項１記載の眼底撮影装置。
【請求項４】
（削除）
【請求項５】
（削除）
【請求項６】
　光を出射する光出射部と、前記光出射部から発せられた前記光を眼底上で走査するために前記光の進行方向を変える走査部と、被検眼と前記走査部との間に配置され、前記走査部から導かれた前記光が前記走査部の動作に伴って旋回される旋回点を形成する対物光学系と、を含み、前記旋回点を通過して被検眼眼底に導かれた前記光による眼底からの光を用いて被検眼の眼底の画像を撮像する眼底撮影装置において、
　前記対物光学系は、前記走査部から導かれる前記光を前記対物光学系の光軸へ向けて折り曲げることによって、眼底における前記光の走査範囲を全角９０°以上とするものであり、
　前記対物光学系は、少なくとも一方のレンズ面が非球面形状に形成されることによって前記旋回点における結像の球面収差を抑制する非球面レンズを、前記対物光学系において最も被検眼側に配置されたレンズとして備え、
　前記非球面レンズは、前記光出射部側のレンズ面が光軸から離れた位置ほど曲率半径が大きくなるような曲面による非球面形状に形成され、且つ、前記被検眼側のレンズ面が所要作動距離に対して１０倍以上の曲率半径で形成される眼底撮影装置。」
第４　取消理由（決定の予告）の概要
　本件訂正前（令和２年４月２７日付け訂正請求書に添付された訂正特許請求の範囲のもの）の請求項１〜３、６に係る特許に対して、当審が令和２年７月２９日付けで特許権者に通知した取消理由（決定の予告）の概要は、次のとおりである。なお、本件訂正前の令和２年４月２７日付け訂正請求により、請求項４及び５は削除されている。
１　請求項１〜３に係る発明は、引用文献３に記載された発明及び引用文献１、２、８、９に記載の周知技術に基づいて、当業者が容易に発明をすることができたものであるから、請求項１〜３に係る特許は、特許法第２９条第２項の規定に違反してされたものである。
２　請求項６に係る発明は、引用文献３に記載された発明及び引用文献１、２、４〜９に記載の技術的事項に基づいて、当業者が容易に発明をすることができたものでないから、請求項６に係る特許は、特許法第２９条第２項の規定に違反してされたものでない。
第５　引用文献等
　特許異議申立書において、申立人が証拠として提出した甲第１〜８号証をそれぞれ引用文献１〜８とする。また、本件特許明細書の【特許文献１】を引用文献９とする。
引用文献１：「Handheld simultaneous scanning laser ophthalmoscopy and optical coherence tomography system」、Biomedical Optics EXPRESS、２０１３年１１月、Vol.４、 No.１１、２３０７−２３２１頁 （甲第１号証）
引用文献２：特開昭５７−１８８２３４号公報（甲第２号証）
引用文献３：特表２００１−５１２９９４号公報（甲第３号証）
引用文献４：特開平８−４３７３０号公報（甲第４号証）
引用文献５：特公昭６１−２５３７２号公報（甲第５号証）
引用文献６：特表２００６−５２２６２７号公報（甲第６号証）
引用文献７：特開昭６１−８５９２１号公報（甲第７号証）
引用文献８：「最近の内視鏡と眼底カメラの光学系」、光学、第１０巻第５号、３１４−３２５頁、一般社団法人日本光学会、１９８１年１０月発行（甲第８号証）
引用文献９：特開２００９−１１３８１号公報（【特許文献１】）
１　引用文献１について
（１）引用文献１の記載
　引用文献１には、次の事項が記載されている（下線は当審で付加した。以下同様。）。
（引１ア）
「In this paper, we present a handheld probe and system design that acquires high signal-to-noise ratio (SNR) SLO and OCT images simultaneously with patient exposures safely below the ANSI limit[18].」（第２３０９頁第４３−４５行) 
（訳）
　本稿では、ＡＮＳＩ限界以下の患者の被曝の安全性とともに、高いＳＮ比の
ＳＬＯ及びＯＣＴ画像を同時に取得するハンドヘルドプローブ
（引１イ）
「The SLO and OCT sources were superluminescent diodes (SLDs)operating at 770 ± 8 nm (Inphenix, Livermore, CA) and840 ± 35 nm (Superlum, Moscow, Russia), respectively.」（第２３１０頁第１２〜１３行）
（訳）
　
ＳＬＯ光源及びＯＣＴ光源は、それぞれ７７０±８ｎｍ
及び８４０±３５ｎｍ
で動作するスーパールミネセントダイオード（ＳＬＤ）であった
（引１ウ）
「An overview of the optimized optical design of the handheld systemis shown in Fig.1. The SLO and OCT beam paths begin separately and are scanned with separate scanners. The beams were combined at a dichroic mirror just prior to the objective lens.」（第２３１０頁第４７〜４９行) 
（訳）
　ハンドヘルドシステムの最適化された光学設計の概要を図１に示す。
ＳＬＯとＯＣＴの光線経路は別々に始まり、別々の走査部で走査される。対物レンズの直前で、光線はダイクロイックミラーにおいて結合された
（引１エ）
「Since the f-numbers of the lenses are small given the 20°scan range and the bandwidths of the light sources are relatively wide, careful consideration was taken in choosing a combination of commercially available lenses to minimize both spherical and chromatic aberration. Our solution was to use achromatic doublet lenses to reduce chromatic aberration and split the lens with a 3 to 5 ratio in refractive power in order to gradually refract the scanned beams and thus reduce spherical aberration.」（第２３１１頁第９〜１５行) 
（訳）
　
２０°の走査範囲
色収差を減らすために色消しダブレットレンズを使用し、走査ビームを徐々に屈折させて球面収差を減らすためにレンズを屈折力の３：５の比率で分割する
（引１オ）第２３１１頁第１図
 (訳) 
凡例
青：ＳＬＯの光路
赤：ＯＣＴの光路
Ｍ１−４：ピアノミラー
ＤＭ：ダイクロイックミラー
ＢＳ：ビームスプリッター
Ｌ１：ＳＬＯコリメートレンズ
Ｌ２：ＳＬＯ集光レンズ
Ｌ３：ＯＣＴコリメートレンズ
Ｌ４,５,６：複合レンズ
ＸＹ１：ＳＬＯ走査部
ＸＹ２：ＯＣＴ走査部
ＰＨ：ＳＬＯ共焦点ピンホール
Ｅｙｅ：被検眼
（引１カ）
「Fig.1. A side view schematic of the handheld SLO-OCT design. All optical components are labeled and described in the legend. The SLO source is a 770 nm SLD with 15 nm bandwidth. The OCT source is an 840nm SLD with 70 nm bandwidth. The optical paths shown are the superposition of both the illumination and collection paths.」（第２３１１頁図１脚注）
 (訳) 
　図１　ハンドヘルドＳＬＯ−ＯＣＴ設計の側面概略図。すべての光学部品はラベルされており、凡例に記載されている。ＳＬＯ光源は１５ｎｍの帯域幅を有する７７０ｎｍのＳＬＤである。ＯＣＴ光源は帯域幅７０ｎｍの８４０ｎｍのＳＬＤである。示されている光路は、照明光路と集光路の両方の重ね合わせである。
（２）引用文献１に記載された技術的事項
　上記（１）の記載及び図面を総合すると、引用文献１には、次の技術的事項（以下「引用文献１に記載の技術的事項」という。）が記載されていると認められる。
「　ＳＬＯ及びＯＣＴ画像を同時に取得するハンドヘルドプローブにおいて、
　ＳＬＯ光源及びＯＣＴ光源は、それぞれ７７０±８ｎｍ及び８４０±３５ｎｍで動作するスーパールミネセントダイオード（ＳＬＤ）であり、
　ＳＬＯとＯＣＴの光線経路は別々に始まり、別々の走査部により２０°の走査範囲で走査され、対物レンズの直前で、光線はダイクロイックミラーにおいて結合され、
　色収差を減らすために色消しダブレットレンズを使用し、走査ビームを徐々に屈折させて球面収差を減らすためにレンズを屈折力の３：５の比率で分割すること。」
２　引用文献２について
（１）引用文献２の記載
　引用文献２には、次の事項が記載されている。
（引２ア）
「　本発明の目的は、非球面が１面のみの簡単な構成で極めて広画角を有しながら、優れた結像性能を有する眼底撮影用光学系を提供することにある。
　本発明は、
対物レンズを通して被検眼へ照明光を供給するための照明系と、該対物レンズを通して被検眼眼底を観察及び撮影するための観察開口とを有する眼底撮影用光学系において、前記対物レンズは被検眼側より順に、被検眼側に凹面を向けた正メニスカスレンズの第１群（Ｇ１）と、両凸レンズの第２群（Ｇ２）と、両凸レンズと両凹レンズとの貼合せからなり、前記観察開口側に凹面を向けた第３群（Ｇ３）とを有し、該第３群（Ｇ３）の前記凹面は曲率中心を該観察開口位置に有する
（引２イ）
「　上記の条件を満すことのできる対物レンズの諸元値の例を示す。但し、ｒ１、ｒ２、ｒ３・・・・・・は、被検者眼側から順次各レンズ面の曲率半径、ｄ１、ｄ２、ｄ３……は、各レンズの中心厚及び空気間隔、ｎｄ及びＶｄは各レンズの屈折率、アッベ数をそれぞれ表わす。
ここで、
第３群の被検眼側の面
は、この対物レンズ（１）に関して、被検眼角膜と観察開口（７）とが共役になるという条件で、球面収差が最も良好に補正されるような非球面で形成され
　上記実施例の
対物レンズ
９０°という超広画角
・・・
　以上の如く、本発明によれば、９０°という極めて広い画角を有しつつ、フレア光が十分除去されるとともに、優れた結像性を有する眼底撮影用光学系が達成される。しかもその対物レンズは３群４枚のレンズからなり、非球面を１つの面に採用するだけという簡単な構成であり、極めて有用である。」（第３頁左上欄第１５行〜左下欄第１７行）
（引２ウ）図面
（２）引用文献２に記載された技術的事項
　上記（１）の記載及び図面を総合すると、引用文献２には、次の技術的事項（以下「引用文献２に記載の技術的事項」という。）が記載されていると認められる。
「　対物レンズを通して被検眼へ照明光を供給するための照明系と、該対物レンズを通して被検眼眼底を観察及び撮影するための観察開口とを有する眼底撮影用光学系において、
　前記対物レンズは被検眼側より順に、被検眼側に凹面を向けた正メニスカスレンズの第１群（Ｇ１）と、両凸レンズの第２群（Ｇ２）と、両凸レンズと両凹レンズとの貼合せからなり、前記観察開口側に凹面を向けた第３群（Ｇ３）とを有し、該第３群（Ｇ３）の前記凹面は曲率中心を該観察開口位置に有し、
　第３群の被検眼側の面は、この対物レンズ（１）に関して、被検眼角膜と観察開口（７）とが共役になるという条件で、球面収差が最も良好に補正されるような非球面で形成され、
　対物レンズが９０°という超広画角を有すること。」
３　引用文献３について
（１）引用文献３の記載
　引用文献３には、次の事項が記載されている。
（引３ア）
「(57)【要約】
広い視野をもつレーザ走査する検眼鏡（10）が、様々の深さでの患者の眼の内部のカラー像を提供する一方で、患者は、彼の視覚機能を検査するように作られた固定の目標物が、同時に提示される。レーザ走査する検眼鏡（10）は、照射装置（30）と、捕捉及び検出装置（32）と、目標物の像生成装置（38）とを含んでおり、これらの装置の各々の光路は、捕捉される像の輝度むらをなくすために、患者の眼からの主要な光線が阻止されるのを防ぐため、１つ又はそれ以上の光スプリッタによって別けられている。可動な反射面をもつ唯一つの走査器を含む単純化された走査装置が採用されている。光学要素上に衝突する光点から光線（76）を生成するために、受動的で、静止した光学要素（74）が採用されており、この光線は、１つの走査器によって、その光線に垂直な方向で走査される。」
（引３イ）
「【特許請求の範囲】
１．レーザ走査する検眼鏡において、この検眼鏡が、
　
レーザ光源と、
　前記レーザ光から２次元領域の照明を発生する走査装置と、
　前記走査装置から前記照明を患者の眼の方に反射し、患者の眼から反射された光がそこを通過する第１の光スプリッタと、
　前記患者の眼から反射された光を検出し、この検出された光から前記眼の内部の像を生成する像捕捉装置と、
　前記患者の眼から反射され、前記第１の光スプリッタを通った光を受け、この光を前記像捕捉装置に反射する、前記第１の光スプリッタと共軸の第２の光スプリッタと、かつ
　目標物の像を生成するビデオディスプレイであって、前記目標物の像が患者によって視覚できるよう、前記ビデオディスプレイからの光が前記第１と第２の光スプリッタを通って前記患者の眼に達するように、前記第１と第２の光スプリッタに対して置かれている前記ビデオディスプレイと、
を具備しているレーザ走査する検眼鏡
２．前記ディスプレイから患者の眼に目標物の像の焦点を合わせるために、
前記患者の眼と前記第１の光スプリッタとの間に配置された非球面レンズを含んでおり、前記非球面レンズが、前記照明光を前記第１の光スプリッタから患者の瞳孔にほぼ近い領域に焦点を合わせ、
・・・
７．前記レーザ光源が、前記走査装置によって同時に走査され、前記第１の光スプリッタによって患者の眼の方に反射される
多数の波長を有するレーザ光を発生し、
前記像捕捉装置が、
様々の深さでの眼の異なる部分の像を自動的に捕捉し、生成するための前記可動な視野レンズを含んでいる
（引３ウ）
「　患者の眼と第１の光スプリッタとの間に置かれたこの
非球面対物レンズ
（引３エ）
「　異なった深さでの患者の眼12の内部の
カラー像
患者の眼12の眼底66上の照明された点104は、光線106と108とによって示される光を反射し、反射された光は、非球面レンズ60によって像平面58上の点110に、捕捉され焦点を合わされる
患者の眼から反射された光線をCCDカメラ118の像平面上の一点120に集める
　視野レンズ34の位置を図６に示される位置から、図７の122で示される位置に変えること、それにより患者の眼から更に遠くに動かされることによって、実像平面58が、眼の像の捕捉及び検出装置32により近い位置に移動する。像平面のこの移動によって、レーザ走査する検眼鏡の焦点が、患者の眼の眼底66にもはやなく、眼の内部の位置に移る。視野レンズを位置122に動かすことによって焦点の移動をもたらす患者の眼の内部のこの点126は、移動された像平面上の位置124での点128に対応している。この点128は、CCDカメラ118上の点120で順に焦点を合わせられている。こうして、眼の像の捕捉及び検出装置32の視野レンズ34を異なった位置に単に動かすことによって、深さを変えた患者の眼12の内部の様々の像を得ることができる。」（第２４頁第９行〜第２５頁第２行）
（引３オ）
「　前述の記載から明らかなように、本発明の非球面レンズ60は、LCD37からの目標物の像を患者の眼12に焦点を合わせる。非球面レンズ60は、照明装置30からの照明光を、ほぼ瞳孔近くの患者の眼の領域に焦点を合わせる。かつ非球面レンズ60は、患者の眼12から反射された光をさえぎり、このさえぎられた光を、非球面レンズと眼の像の捕捉及び検出装置32との間に配置されている像平面58上に焦点を合わせる。そのような非球面レンズを提供するために、レンズの各々の表面62と64は、好ましくは多項式の関数によって表わされる。
　ここでＡ2，Ａ4，Ａ6は定数であり、Ｃは表面の曲率を表わし、ccは円錐の定数を表わしている。
レンズ60の度の強い表面62
0.0＜Ａ2＜0.003
−0.02＜Ａ4＜0.02
−0.01＜Ａ6＜0.01
− 0.1＜Ｃ＜0.0
− 2.0＜cc＜0.0
　
レンズ60の度の弱い表面64
−0.003＜Ａ2＜0.0
0.0＜Ａ4＜0.001
−0.001＜Ａ6＜0.001
0.03＜Ｃ＜0.06
−2.0＜cc＜0.0
　更に弱い表面64の曲率Ｃは、強い表面62の曲率Ｃの−１／２倍よりは、好ましくは大きい。
　本発明の好ましい実施の形態では、レンズ60の強い表面62は、以下の数値である。Ａ2＝0.000444，Ａ4＝0.000001，Ａ6＝0.0，Ｃ＝−0.092，cc＝−0.933これに対し、レンズ60の弱い表面64は、以下の数値である。Ａ2＝−0.00243，Ａ4＝-0.0000012，Ａ6＝0.0，Ｃ＝0.045，cc＝−1.213」（第２５頁下４行〜第２６頁下３行）
（引３カ）
「　レンズ60の直径が変えられるが、好ましい直径は、35mmである。
非球面レンズ60は、
レーザ走査する検眼鏡の極端に広い60°の視野を形成する。更に非球面レンズ60によって形成された実像は、実質的にひずみがない
（引３キ）図２
（２）引用文献３に記載された発明
　上記（引３オ）におけるレンズ設計を見ると、非球面レンズは、両面を光軸から離れた位置ほど曲率半径が大きくなるような曲面による非球面形状に形成し、患者の目の方をレンズの度の強い表面とし、その反対の方をレンズの度の弱い表面としたことが理解でき、この点を含め上記（１）の記載及び図面を総合すると、引用文献３には、次の発明（以下「引用発明３」という。）が記載されていると認められる。
「　多数の波長を有するレーザ光を発生するレーザ光源と、
　前記レーザ光から２次元領域の照明光を発生する走査装置と、
　前記走査装置から前記照明光を患者の眼の方に反射し、患者の眼から反射された光がそこを通過する第１の光スプリッタと、
前記患者の眼から反射された光を検出し、この検出された光から前記眼の内部のカラー像を生成する像捕捉装置と、
　前記患者の眼と前記第１の光スプリッタとの間に配置され、前記照明光を前記第１の光スプリッタから患者の瞳孔にほぼ近い領域に焦点を合わせる非球面対物レンズと、
　を具備しているレーザ走査する検眼鏡であって、
　前記像捕捉装置が、眼底を含む様々の深さでの眼の異なる部分のカラー像を自動的に捕捉し、生成するための可動な視野レンズを含んでおり、
　前記非球面対物レンズは、両面を光軸から離れた位置ほど曲率半径が大きくなるような曲面による非球面形状に形成し、患者の目の方をレンズの度の強い表面とし、その反対の方をレンズの度の弱い表面とし、レーザ走査する検眼鏡の極端に広い６０°の視野を形成し、更に、前記非球面対物レンズによって形成された実像には、実質的にひずみがない、
　レーザ走査する検眼鏡。」
４　引用文献４について
（１）引用文献４の記載
　引用文献４には、次の事項が記載されている。
（引４ア）
「【請求項１】
単一の両凸レンズからなり、該両凸レンズの被検眼側の面および検者側の面のうち少なくとも一方の面は非球面に形成され、
前記両凸レンズのｄ線に対する屈折率およびアッベ数をそれぞれｎd およびνd としたとき、
６５＜νd
ｎd ＜１．６７
の条件を満足することを特徴とする
倒像鏡
（引４イ）
「【００１９】また、図１に示すように、図中破線で示す球面形状と比較すると、本発明の
非球面形状では、レンズの周辺に向かって曲率が小さくなって行く
軸上色収差、倍率色収差が少なく像面湾曲、非点収差等が良好に補正された被検眼の眼底像を観察することができる
（引４ウ）図１
（２）引用文献４に記載された技術的事項
　上記（１）の記載及び図面を総合すると、引用文献４には、次の発明（以下「引用文献４に記載の技術的事項」という。）が記載されていると認められる。
「　単一の両凸レンズからなり、該両凸レンズの被検眼側の面および検者側の面のうち少なくとも一方の面は非球面に形成される倒像鏡において、
　非球面形状では、レンズの周辺に向かって曲率が小さくなって行き、軸上色収差、倍率色収差が少なく像面湾曲、非点収差等が良好に補正された被検眼の眼底像を観察することができること。」
５　引用文献５について
（１）引用文献５の記載
　引用文献５には、次の事項が記載されている。
（引５ア）
「１　
対物レンズと、穴あき反射鏡を介して該対物レンズを通して被検眼へ照明光を導くための照明系とを有する眼底の観察及び撮影用光学系において、前記対物レンズは、被検眼側から順に前記穴あき反射鏡側へより強い凸面を向けた両凸レンズからなる１群と、両凸レンズと両凹レンズとの貼合せからなり前記穴あき反射鏡側に凹面を向けた第２群とを有し、前記対物レンズの被検眼側から数えて第１面、第２面及び第３面がそれぞれ収斂性の屈折力を有し、
0.7f＜｜r2｜＜2.0f 
0.6f＜｜r3｜＜2.0f 
の各条件を満足することを特徴とする眼底観察及び撮影用光学系。
２　特許請求の範囲第１項記載の眼底観察及び撮影用光学系において、
前記対物レンズの第３面を非球面とした
（引５イ）
「　以下に本発明による対物レンズの諸元値の例を示す。ここでr1，r2，r3…は被検眼側から順次の各レンズ面の曲率半径、d1，d2，d3…は各レンズの中心厚及び空気間隔、nd及びvdは各レンズの屈折率、アツベ数をそれぞれ表わす。
　第３面r3は、この対物レンズに関して被検眼角膜と穴あき反射鏡の開口部２ａとが共役になるという条件の下で球面収差が最も良好に補正されるような非球面で形成され、上記のr3の値はその基準球面の曲率半径を表わしている。尚、上記実施例における
第１面頂点から被検眼角膜までの距離、即ち作動距離は40mmであり
（引５ウ）第１図
（２）引用文献５に記載された技術的事項
　上記（１）の記載及び図面を総合すると、引用文献５には、次の発明（以下「引用文献５に記載の技術的事項」という。）が記載されていると認められる。
「　対物レンズと、穴あき反射鏡を介して該対物レンズを通して被検眼へ照明光を導くための照明系とを有する眼底の観察及び撮影用光学系において、
　前記対物レンズは、被検眼側から順に前記穴あき反射鏡側へより強い凸面を向けた両凸レンズからなる１群と、両凸レンズと両凹レンズとの貼合せからなり前記穴あき反射鏡側に凹面を向けた第２群とを有し、前記対物レンズの被検眼側から数えて第１面、第２面及び第３面がそれぞれ収斂性の屈折力を有し、前記対物レンズの第３面を非球面とし、第１面の曲率半径が３８０．０ｍｍであり、第１面頂点から被検眼角膜までの距離、即ち作動距離は４０mmであること。」
６　引用文献６について
（１）引用文献６の記載
　引用文献６には、次の事項が記載されている。
（引６ア）
「【請求項１】
少なくとも２つのレンズが、それらの光軸を基準として照明光路および結像光路に対し傾斜配置されていて、該レンズの光軸と照明光路および結像光路の光軸が１つの平面内にある、少なくとも４つのレンズから成るレンズ系で構成された、実質上同軸の照明光路と結像光路を有する、特に眼底カメラ用の光学システムであって、少なくともまた別な２つのレンズがそれらの光軸を基準として照明光路、結像光路に対し傾斜配置されていること、およびこの別な２つのレンズの光軸と照明光路、結像光路の光軸が、照明光路と結像光路の光軸に実質上沿うように第１の平面と交差する第２の平面内にあることを特徴とする光学システム。」
（引６イ）
「【０００７】
図１には本発明に基づく
光学システム
眼底カメラ
図２は光学システムの上面図を示しており、したがって、図平面９は図１の図平面６に対して垂直方向にある。レンズ１および２は図平面９内にあって、それらの光軸１０および１１が図平面９内に来るように傾斜配置されている。したがって、レンズ３および４は図平面９に対して傾斜配置されている。
その場合これらのレンズは、光軸５を持つ結像光路、照明光路の照明光線束がレンズ１、２、３、４のうちのいずれについてもその中央領域を通らないように、すなわちレンズ１、２、３、４の光軸１０、１１、７、８が図１および２に模式図解された光線束の外側に来るように配置されている。
次表には本発明の好ましい実施態様における光学データが列挙されている。表中、接尾符合νの付いたのがレンズ１、２、３、４の前側、接尾符合hの付いたのが後側である。
【表１】
 」
（２）引用文献６に記載された技術的事項
　上記（１）の記載及び図面を総合すると、引用文献６には、次の発明（以下「引用文献６に記載の技術的事項」という。）が記載されていると認められる。
「　眼底カメラ光学システムにおいて、
　対物レンズが、曲率半径が無限大、隣接面との距離が３９．４２４７７ｍｍであること。」
７　引用文献７について
（１）引用文献７の記載
　引用文献７には、次の事項が記載されている。
（引７ア）
「２．特許請求の範囲
１）
被検眼へ照明光を供給するための照明光学系と、観察開口絞りを通して被検眼の眼底を観察・撮影する光学系と、該照明光学系と該観察・撮影光学系とに共用する対物レンズとを有する眼底観察撮影装置において、該対物レンズを、被検眼側に凹面を向けた貼合せ正メニスカスレンズの第１成分と、前記観察開口絞り側に凹面を向けた貼合せ正メニスカスレンズの第２成分とで構成し、
（引７イ）
（２）引用文献７に記載された技術的事項
　上記（１）の記載及び図面を総合すると、引用文献７には、次の発明（以下「引用文献７に記載の技術的事項」という。）が記載されていると認められる。
「　被検眼へ照明光を供給するための照明光学系と、観察開口絞りを通して被検眼の眼底を観察・撮影する光学系と、該照明光学系と該観察・撮影光学系とに共用する対物レンズとを有する眼底観察撮影装置において、
　該対物レンズを、被検眼側に凹面を向けた貼合せ正メニスカスレンズの第１成分と、前記観察開口絞り側に凹面を向けた貼合せ正メニスカスレンズの第２成分とで構成すること。」
８　引用文献８について
（１）引用文献８の記載
　引用文献８には、次の事項が記載されている。
（引８ア）
「　従来の眼底力メラの撮影範囲は視界にして約３０度であるが、診断上のニーズによりより広い視角を観察または撮影し得る眼底カメラが求められ、４５度から最近は６０度に及ぶものも開発されるようになった９）。・・・眼底像そのものに対する収差も、非点収差や歪曲が大きく、
狭角ではあまり問題にならなかった色収差も、広角化には補正が必要となる
眼底カメラ用対物レンズの収差
（２）引用文献８に記載された技術的事項
　上記（１）の記載及び図面を総合すると、引用文献８には、次の発明（以下「引用文献８に記載の技術的事項」という。）が記載されていると認められる。
「　眼底カメラ用対物レンズの収差について、狭角ではあまり問題にならなかった色収差も、広角化には補正が必要となること。」
９　引用文献９について
（１）引用文献９の記載
　引用文献９には、次の事項が記載されている。
（引９ア）
「【請求項１】
レーザ光源から発せられたレーザ光を被検眼眼底に照射する照射光学系と、前記レーザ光源から発せられたレーザ光を眼底上で二次元的に走査するための走査手段と、被検眼眼底に照射されたレーザ光を受光素子にて受光する受光光学系と、を有し、被検眼の眼底画像を撮影する走査型レーザ検眼鏡において、
　前記眼底画像の撮影画角を広角化させるために前記検眼鏡の検査窓近傍に装着可能な広角レンズアタッチメント
　少なくとも２枚の凸メニスカスレンズをその凹面側を被検眼側として直列配置することによりなる広角レンズ系を有し、前記検眼鏡の撮影光軸に対して前記広角レンズ系が傾斜された状態で配置される広角レンズアタッチメントを、備えることを特徴とする走査型レーザ検眼鏡。」
（２）引用文献９に記載された技術的事項
　上記（１）の記載を総合すると、引用文献９には、次の発明（以下「引用文献９に記載の技術的事項」という。）が記載されていると認められる。
「　レーザ光源から発せられたレーザ光を被検眼眼底に照射する照射光学系と、前記レーザ光源から発せられたレーザ光を眼底上で二次元的に走査するための走査手段と、被検眼眼底に照射されたレーザ光を受光素子にて受光する受光光学系と、を有し、被検眼の眼底画像を撮影する走査型レーザ検眼鏡において、
　前記眼底画像の撮影画角を広角化させるために前記検眼鏡の検査窓近傍に装着可能な広角レンズアタッチメントを備えること。」
第６　当審の判断 
　本件発明１は独立形式請求項であるが、本件発明６を減縮した発明であるから、まず、本件発明６から判断する。
１　本件発明６について
（１）対比
　本件発明６と引用発明３とを対比する。
ア　引用発明３の「レーザ光を発生するレーザ光源」は、本件発明６の「光を出射する光出射部」に相当する。
イ　引用発明３の「前記レーザ光から２次元領域の照明光を発生する走査装置」は、前記「照明光」を「眼底」で「レーザ走査する」ために用いるから、本件発明６の「前記光出射部から発せられた光を眼底上で走査するために前記光の進行方向を変える走査部」とは、「前記光出射部から発せられた光を眼底上で走査する走査部」の点で共通する。
ウ　引用発明３の「前記患者の眼と」「前記走査装置から前記照明光を患者の眼の方に反射し、患者の眼から反射された光がそこを通過する」「第１の光スプリッタとの間に配置され」る「非球面対物レンズ」は、本件発明６の「被検眼と前記走査部との間に配置され」る「対物光学系」に相当する。
エ　引用発明３の「前記走査装置」が「走査」する「前記照明光を前記第１の光スプリッタから患者の瞳孔にほぼ近い領域に焦点を合わせる非球面対物レンズ」は、ここでの「焦点」が本件発明６の「旋回点」に相当するところ、本件発明６の「前記走査部から導かれた前記光が前記走査部の動作に伴って旋回される旋回点を形成する対物光学系」に相当する。
オ　引用発明３の「前記患者の眼から反射された光を検出し、この検出された光から前記眼の内部のカラー像を生成する」「検眼鏡」は、ここでの「眼の内部のカラー像」に「眼底」「のカラー像」を含むことから、本件発明６の「前記旋回点を通過して被検眼眼底に導かれた前記光による眼底からの光を用いて被検眼の眼底の画像を撮像する眼底撮影装置」に相当する。
カ　引用発明３の「非球面対物レンズは、」「レーザ走査する検眼鏡の極端に広い６０°の視野を形成」することと、本件発明６の「前記対物光学系は、前記走査部から導かれる前記光を前記対物光学系の光軸へ向けて折り曲げることによって、眼底における前記光の走査範囲を全角９０°以上とする」こととは、「前記対物光学系は、前記走査部から導かれる前記光を前記対物光学系の光軸へ向けて折り曲げることによって、眼底における前記光の走査範囲を極端に広くする」点で共通する。
キ　引用発明３において、「両面を」「非球面形状に形成し」、「前記非球面対物レンズによって形成された実像には、実質的にひずみがない」ことは、「非球面対物レンズ」の「両面を」「非球面形状に形成し」たことによって前記「焦点」における結像の球面収差を補正しているといえることから、引用発明３の「前記患者の眼と前記第１の光スプリッタとの間に配置され、前記照明光を前記第１の光スプリッタから患者の瞳孔にほぼ近い領域に焦点を合わせる非球面対物レンズ」は、本件発明６の「前記対物光学系は、少なくとも一方のレンズ面が非球面形状に形成されることによって前記旋回点における結像の球面収差を抑制する非球面レンズを、前記対物光学系において最も被検眼側に配置されたレンズとして備え」ることに相当する。
ク　引用発明３の「前記非球面対物レンズは、両面を光軸から離れた位置ほど曲率半径が大きくなるような曲面による非球面形状に形成」することと、本件発明６の「前記非球面レンズは、前記光出射部側のレンズ面が光軸から離れた位置ほど曲率半径が大きくなるような曲面による非球面形状に形成され、且つ、前記被検眼側のレンズ面が所要作動距離に対して１０倍以上の曲率半径で形成される」こととは、「前記非球面レンズは、前記光出射部側のレンズ面が光軸から離れた位置ほど曲率半径が大きくなるような曲面による非球面形状に形成され、且つ、前記被検眼側のレンズ面が所定の曲率半径で形成される」点で共通する。
（２）一致点・相違点
　本件発明６と引用発明３とを対比すると、次の点で一致し、次の各点で相違する。
（一致点）
「　光を出射する光出射部と、前記光出射部から発せられた前記光を眼底上で走査する走査部と、被検眼と前記走査部との間に配置され、前記走査部から導かれた前記光が前記走査部の動作に伴って旋回される旋回点を形成する対物光学系と、を含み、前記旋回点を通過して被検眼眼底に導かれた前記光による眼底からの光を用いて被検眼の眼底の画像を撮像する眼底撮影装置において、
　前記対物光学系は、前記走査部から導かれる前記光を前記対物光学系の光軸へ向けて折り曲げることによって、眼底における前記光の走査範囲を極端に広くするものであり、
　前記対物光学系は、少なくとも一方のレンズ面が非球面形状に形成されることによって前記旋回点における結像の球面収差を抑制する非球面レンズを、前記対物光学系において最も被検眼側に配置されたレンズとして備え、
　前記非球面レンズは、前記光出射部側のレンズ面が光軸から離れた位置ほど曲率半径が大きくなるような曲面による非球面形状に形成され、且つ、前記被検眼側のレンズ面が所定の曲率半径で形成される眼底撮影装置。」
（相違点１）
　走査部が、本件発明６では、「前記光の進行方向を変える」のに対し、引用発明３では、「２次元領域の照明光」の進行方向を変えることの特定はない点。
（相違点２）
　対物光学系は、本件発明６では、全角「９０°以上」とするのに対し、引用文献３では、「極端に広い６０°」であるものの、９０°以上とすることの特定はない点。
（相違点３）
　非球面レンズは、本件発明６では、「被検眼側のレンズ面が所要作動距離に対して１０倍以上の曲率半径で形成される」のに対し、引用発明３では、「患者の目の方を強い表面とし」た「非球面形状に形成し」た点。
  
（３）判断
　事案に鑑み上記相違点３について検討する。
　引用文献５に記載の技術的事項によれば、対物レンズの被検眼側レンズ面を、所要作動距離に対して９．５倍の曲率半径で形成することが理解できるものの、一方で、引用発明３の「非球面対物レンズは、両面を光軸から離れた位置ほど曲率半径が大きくなるような曲面による非球面形状に形成し、患者の目の方をレンズの度の強い表面とし、その反対の方をレンズの度の弱い表面とし、レーザ走査する検眼鏡の極端に広い６０°の視野を形成し、更に、前記非球面対物レンズによって形成された実像には、実質的にひずみがない」ようにレンズ設計をしたもので、このようにレンズ設計されている引用発明３の非球面対物レンズにおいて、患者の目の方のレンズ面に対し、引用文献５に記載の技術的事項のごとく、所要作動距離に対して９．５倍の曲率半径で形成するという条件を適用した場合、該条件を満たし実像に実質的にひずみが生じない非球面対物レンズを設計することは、当業者といえども容易なことでないから、上記相違点３に係る本件発明６の構成を得ることは、当業者にとって容易なことでない。
　また、引用文献１、２、４、６〜９に記載の技術的事項を考慮しても、引用発明３において上記相違点３に係る本件発明６の構成とすることは容易なことでない。
　そして、本件発明６は、上記相違点３に係る本件発明６の構成を採用することで、本願特許明細書の【００８５】に記載されているように、最も被検眼側に設置された非球面レンズによって、作動距離の確保を容易できるという作用・効果を奏するものである。
（４）小括
　したがって、本件発明６は、上記相違点１及び２を検討するまでもなく、引用発明３及び引用文献１、２、４〜９に記載の技術的事項に基づいて当業者が容易に発明をすることができたものでない。
２　本件発明１〜３について
　本件発明１〜３は、本願発明６を減縮した発明であるから、本件発明６と同様の理由により、引用発明３及び引用文献１、２、４〜９に記載の技術的事項に基づいて当業者が容易に発明をすることができたものでない。
３　取消理由（決定の予告）において採用しなかった特許異議申立理由について
　特許異議申立人は、本件の請求項１〜３に係る発明は、引用文献１（甲第１号証）及び引用文献２（甲第２号証）から容易に想到し得る旨を主張している。しかし、上記１（３）で検討したとおり、相違点３は引用文献１の存在を前提としても容易であるとはいえない以上、引用文献１と引用文献２とを組み合わせても本件の請求項１〜３に係る発明にはならない。
　したがって、特許異議申立人の主張する特許異議申立の理由によっては、本件の請求項１〜３に係る特許を取り消すことはできない。
第７　むすび
　以上のとおり、本件発明１〜３、６に係る特許は、特許異議申立書に記載した特許異議申立理由によっては取り消すことはできない。さらに、他に本件の請求項１〜３、６に係る特許を取り消すべき理由を発見しない。
　したがって、本件発明１〜３、６に係る特許は、特許法第１１３条第２号に該当し、取り消されるべきものであるとはいえない。
　そして、本件の請求項４及び５に係る特許は、訂正により削除された。これにより、本件特許の請求項４及び５に対してなされた特許異議の申立ては、申立ての対象が存在しないものとなったため、特許法第１２０条の８第１項で準用する同法第１３５条の規定により却下する。
　よって、結論のとおり決定する。
【異議決定日】
令和２年１２月７日（２０２０．１２．７）
【訂正の要旨】
審決（決定）の【理由】欄参照。
（５７）【特許請求の範囲】
　【請求項１】
　
光を出射する
前記
　前記光出射部は、互いに異なる複数の波長の光を出射し、
　前記対物光学系は、前記走査部から導かれる前記光を前記対物光学系の光軸へ向けて折り曲げることによって、眼底における前記光の走査範囲を全角９０°以上とするものであり、
　前記対物光学系は
、
を備えると共に、少なくとも一方のレンズ面が非球面形状に形成されることによって前記旋回点における結像の球面収差を抑制する非球面レンズであって、前記光出射部側のレンズ面が光軸から離れた位置ほど曲率半径が大きくなるような曲面による非球面形状に形成され、且つ、前記被検眼側のレンズ面が所要作動距離に対して１０倍以上の曲率半径で形成される非球面レンズを、前記対物光学系において最も被検眼側に配置されたレンズとして備える眼
　【請求項２】
　前記接合レンズは、材料の分散が互いに異なる凹レンズと凸レンズとを１枚ずつ貼り合せて形成されており、凸レンズに対し、凹レンズが被検眼側に配置されることを特徴とする請求項１記載の眼底撮影装置。
　【請求項３】
　前記接合レンズは、材料の分散が互いに異なる凹レンズと凸レンズとを１枚ずつ貼り合せて形成されており、凹レンズに対し、凸レンズが被検眼側に配置されることを特徴とする請求項１記載の眼底撮影装置。
　【請求項４】
（削除）
　【請求項５】
（削除）
　【請求項６】
　
光を出射する光出射部と、前記光出射部から発せられた前記光を眼底上で走査するために前記光の進行方向を変える走査部と、被検眼と前記走査部との間に配置され、前記走査部から導かれた前記光が前記走査部の動作に伴って旋回される旋回点を形成する対物光学系と、を含み、前記旋回点を通過して被検眼眼底に導かれた前記光による眼底からの光を用いて被検眼の眼底の画像を撮像する眼底撮影装置において、
　
前記対物光学系は、前記走査部から導かれる前記光を前記対物光学系の光軸へ向けて折り曲げることによって、眼底における前記光の走査範囲を全角９０°以上とするものであり、
　
前記対物光学系は、少なくとも一方のレンズ面が非球面形状に形成されることによって前記旋回点における結像の球面収差を抑制する非球面レンズを、前記対物光学系において最も被検眼側に配置されたレンズとして備え、
　
前記非球面レンズは、前記光出射部側のレンズ面が光軸から離れた位置ほど曲率半径が大きくなるような曲面による非球面形状に形成され、且つ、
の
が
る眼